(57)【要約】  【課題】  勾配の有無により変動する株間を調節して、株間を一定に保つ。  【解決手段】  植付機構部Ａに動力を間欠的に接続するクラッチ５の接続を制御する歯車列の駆動軸１および従動軸９に互いに伝達比の異なる複数組の歯車７Ａ〜７Ｅと歯車８Ａ〜８Ｅを組み込み、駆動軸１と歯車７Ａ〜７Ｅは一体的に取り付ける。従動軸９にはキー溝１９を形成するとともに、歯車８Ａ〜８Ｅにはキー溝１８を形成する。歯車８Ａ〜８Ｅのそれぞれの間にはリング２０を挟んでおく。キー溝１９内に、先端に突起２２ａを有するスライドキー２２を板ばね２１により上方に押圧しながら挿入して、歯車８Ａ〜８Ｅのいずれかのキー溝１８に択一的に係合させる。スライドキー２２を切換レバー２５により移動させることにより、歯車７Ａ〜７Ｅと歯車８Ａ〜８Ｅの噛み合い位置が移動し、クラッチ５の動作間隔が増減し株間が調整される。【選択図】  図３
2005143374.tif 000002
【特許請求の範囲】
【請求項１】
車輪を駆動するエンジンの出力を分岐しクラッチを介して植付機構部に伝達するとともに、前記エンジンの分岐出力に駆動される歯車列により前記クラッチを間欠的に接続して植付機構部を作動させることにより株間を一定に保つ移植機の株間調節装置において、
前記歯車列の駆動軸に一体的かつ重ねて取り付けられて互いに歯数の異なる２枚以上の駆動歯車と、
前記駆動軸と平行に支持された前記歯車列の従動軸に空転可能に取り付けられて前記駆動歯車にそれぞれ噛合する２枚以上の従動歯車と、
前記従動軸の軸径と略同径の内径であって前記従動軸に挿通されるとともに前記各従動歯車の間に保持されたリングと、
前記各従動歯車の軸孔にそれぞれ形成された歯車側キー溝と、
該歯車側キー溝に対応して前記従動軸に軸方向に形成された１本の軸側キー溝と、
該軸側キー溝に軸方向スライド自在に挿入されるとともに一端の上面に前記従動歯車の歯幅に満たない長さの山形の突起が形成されたスライドキーと、
該スライドキーの一端側底面と軸側キー溝との間に装着されてスライドキーの一端側を上方に押圧付勢するばねと、
一端側に前記スライドキーの他端側が軸支されるとともに他端側に周方向の係合溝が形成されかつ軸方向スライド自在に前記従動軸に嵌合されたフランジ金具と、
中間支点部が移植機本体側に支持されるとともに先端が前記フランジ金具の係合溝に係合されて前記従動軸の軸方向に往復動自在に支持されかつ基端が移植機の運転操作位置側に往復操作自在に支持された切換レバーと、
を備えたことを特徴とする移植機の株間調節装置。
【請求項２】
請求項１に記載の移植機の株間調節装置において、
前記駆動軸に取り付けられる駆動歯車を歯数の大きい順に重ね合わせたことを特徴とする移植機の株間調節装置。
【請求項３】
請求項１または２に記載の移植機の株間調節装置において、
前記従動歯車の軸孔に形成されるキー溝を２個以上とするとともにキー溝を周方向等間隔に配置したことを特徴とする移植機の株間調節装置。
【発明の詳細な説明】
【技術分野】
【０００１】
本発明は、たばこ、野菜等を移植する移植機において、移植の間隔（以下株間と称する。）を調節することを可能にした株間調節装置に関する。
【背景技術】
【０００２】
従来、たばこの移植機は、本出願人により販売されて国内に広く普及している。この移植機は、移植機本体の車輪を駆動するエンジンの回転から分岐した動力により、苗の植付機構部を駆動していた。そのため、車輪の回転と植え付け機構部の動作は同期しており、株間は一定に保持されていた。株間を調節する場合は、植え付け機構部への動力伝達部に設けられたクラッチを間欠的に作動させるための歯車列の歯車比を変更していた。具体的には歯車列の２軸間に取り付けられた２個の歯車を交換することで歯車比を変更していた。
【非特許文献１】関東農機株式会社のカタログ「ヘルパーたばこ移植機」１９９２年１１月印刷
【発明の開示】
【発明が解決しようとする課題】
【０００３】
このように、従来の移植機は株間を変更することは可能であるものの、そのためには歯車を交換する必要があり、移植機を作動させている移植の作業中に株間を変更しようとしても、歯車を交換することは、実際問題として無理であった。ところで、移植を行う圃場の地形には起伏があることがあり、その場合、移植機が上り勾配の作業中は車輪のスリップ比が多くなり、株間が狭くなる。反対に下り勾配の作業中はスリップ比が少なくなり、株間が広くなるという問題があった。たばこの栽培の場合、株間に大小があると、収穫した葉たばこのタール分の含有量が増減し品質が一定しないということがあり、移植の際に株間を一定に保つことが品質を保つ上で強く要望されていた。そこで、本発明は、移植の作業中に、圃場の勾配に応じて発生する株間の増減変動を補正して常に一定の株間を保つことができる移植機の株間調節装置を提案することを目的とした。
【課題を解決するための手段】
【０００４】
上記課題を解決するために、本発明は、車輪を駆動するエンジンの出力を分岐しクラッチを介して植付機構部に伝達するとともに、前記エンジンの分岐出力に駆動される歯車列により前記クラッチを間欠的に接続して植付機構部を作動させることにより株間を一定に保つ移植機の株間調節装置において、前記歯車列の駆動軸に一体的かつ重ねて取り付けられて互いに歯数の異なる２枚以上の駆動歯車と、前記駆動軸と平行に支持された前記歯車列の従動軸に空転可能に取り付けられて前記駆動歯車にそれぞれ噛合する２枚以上の従動歯車と、前記従動軸の軸径と略同径の内径であって前記従動軸に挿通されるとともに前記各従動歯車の間に保持されたリングと、前記各従動歯車の軸孔にそれぞれ形成された歯車側キー溝と、該歯車側キー溝に対応して前記従動軸に軸方向に形成された１本の軸側キー溝と、該軸側キー溝に軸方向スライド自在に挿入されるとともに一端の上面に前記従動歯車の歯幅に満たない長さの山形の突起が形成されたスライドキーと、該スライドキーの一端側底面と軸側キー溝との間に装着されてスライドキーの一端側を上方に押圧付勢するばねと、一端側に前記スライドキーの他端側が軸支されるとともに他端側に周方向の係合溝が形成されかつ軸方向スライド自在に前記従動軸に嵌合されたフランジ金具と、中間支点部が移植機本体側に支持されるとともに先端が前記フランジ金具の係合溝に係合されて前記従動軸の軸方向に往復動自在に支持されかつ基端が移植機の運転操作位置側に往復操作自在に支持された切換レバーとを備えたことを特徴とする。
【０００５】
なお、前記駆動軸に取り付けられる駆動歯車は歯数の大きい順に重ね合わせることが好ましい。また、前記従動歯車の軸孔に形成されるキー溝は２個以上とするとともにキー溝を周方向等間隔に配置することが好ましい。
【発明の効果】
【０００６】
以上述べたように本発明によれば、クラッチを断続する歯車列の駆動軸と従動軸に伝達比の異なる複数組の歯車を取り付け互いに噛み合わせて置くとともに、従動歯車と従動軸との接続を、切換レバーの操作により移動するスライドキーにより１組を選択することで、歯車列の伝達比が複数段階に切り換えられて、植付機構部の作動間隔が変わり、株間の調節が可能となる。
【発明を実施するための最良の形態】
【０００７】
以下、図に基づいて本発明の実施形態を説明する。
図１は本発明をたばこの移植機に適用した場合の植付機構部Ａを上方から見た状態を示す断面図であり、図２は図１の正面図であり、図３は図１の要部を拡大した断面図であり、図４は図３の正面図であり、図５は図３の駆動軸部分の断面図であり、図６は図３の従動軸部分の断面図であり、図７は図６から板ばねを取り出して示した図であり、図８は図６からスライドキーを取り出して示した図である。
【０００８】
図１および図２に示されるたばこ移植機では、車輪を駆動するエンジンからの動力を分岐して駆動軸１の回転として取り出している。取り出された駆動軸１の回転をスプロケット２からチェン３を介して植付機構軸４に嵌合されているクラッチ５のスプロケット６へ伝達するとともに、駆動軸１の回転を歯車７，８を介して従動軸９に伝達し、従動軸９に取り付けられている回転突起１１が１回転するごとに係合レバー１２を反時計方向に回動させてクラッチ５の作動円盤１３との係合を解除して作動円盤１３を１回転させる。
【０００９】
作動円盤１３が１回転する間はクラッチ５が接続されて、スプロケット６の回転が１回転する間だけ植付機構軸４に動力が伝達される。植付機構部Ａは植付機構軸４が１回転する間に、たばこ苗が挿入されている二分割コーン１４が下降して先端が地中に進入しながら拡開してたばこ苗を植える動作を行う。これらの全体の構成および動作は、従来の移植機と同一であり、本発明は歯車７，８として複数組の歯車を切り換え自在に装着して株間を変更可能にしたものである。以下、歯車７，８について詳細に説明する。
【００１０】
図３〜図６に示されるように、駆動軸１の先端部には中軸１５が嵌合され、その外側に断面矩形の沈みキー１６を介して歯車７Ａ〜７Ｅが取り付けられている。歯車７Ａ〜７Ｅは、歯数の最も多い歯車７Ｅから最も歯数の少ない歯車７Ａが順に重ねて取り付けられている。一方、従動軸９には中軸１７が嵌合され、その外側に、軸孔に４箇所のキー溝１８が形成された歯車８Ａ〜８Ｅが回転自在に取り付けられている。歯車８Ａ〜８Ｅは、歯数の最も少ない歯車８Ｅから最も歯数の多い歯車８Ａが順に重ねて取り付けられている。
【００１１】
各歯車８Ａ〜８Ｅの互いの間には、中軸１７の外径と略同一かまたはやや大きい内径をした座金状のリング２０が挟まれる。ここで、歯車７Ａ〜７Ｅのそれぞれの歯幅は、歯車８Ａ〜８Ｅのそれぞれの歯幅にリング２０の厚みを加えた厚みと等しくなる。なお、歯車７Ａ〜７Ｅと歯車８Ａ〜８Ｅは、駆動軸１と従動軸９の軸間距離が同一となる歯数の組み合わせに選定されている。また、歯車８Ａ〜８Ｅが嵌合される中軸１７の外周部には、キー溝１８と同一幅のキー溝１９が軸方向に１本形成されている。キー溝１９は断面が矩形でありその深さは幅の約２倍程度とし、その内部に板ばね２１を介してスライドキー２２がスライド自在に挿入されている。
【００１２】
板ばね２１は、図７に示されるように、中間部がくの字状に折曲された形状をして、先端がスライドキー２２に当接してスライドキー２２を上方に押圧する。板ばね２１の基端は円形に湾曲されてスライドキー２２の基端部の外側に嵌め込まれる。スライドキー２２は、図８に示されるように、先端の上面に長手方向の長さが歯車８Ａ〜８Ｅの歯幅に満たない長さの山形の突起２２ａが形成されている。この突起２２ａが歯車８Ａ〜８Ｅのキー溝１８に係合される。スライドキー２２の基端には軸孔２２ｂが形成されて、フランジ金具２３に回動自在に軸支されている。なお、スライドキー２２の幅は、キー溝１９への挿入が可能なように、キー溝１９の幅と同一かやや狭く形成されている。
【００１３】
フランジ金具２３は、図３および図６に示されるように、中軸１７に軸方向スライド自在に嵌合されているとともに、外側部分に周方向の溝２４が形成され、その溝２４内に切換レバー２５の先端が係合されている。切換レバー２５の中間部は、移植機本体側に支持された支点２６により軸支され、その基端が移植機の運転操作位置側に往復操作自在に支持されている。
【００１４】
次に、歯車７，８の切り換え操作について説明する。図３および図６は、歯車７Ｂと歯車８Ｂが噛み合った状態を示している。この状態では、歯車７Ａ〜７Ｅは駆動軸１と一体で回転して、それらに噛み合う歯車８Ａ〜８Ｅを全て駆動している。ここで、歯車８Ａ〜８Ｅ側は、キー溝１９内でスライドキー２２の突起２２ａが板ばね２１に押圧されて上昇し、歯車８Ｂの４箇所のキー溝１８のいずれかに係合して歯車８Ｂと中軸１７を連結している。
【００１５】
このとき、突起２２ａの前後は、キー溝１９内に突出しているリング２０によりそれぞれ仕切られているため、突起２２ａが前後する歯車８Ａおよび歯車８Ｃと噛み合うことはないし、スライドキー２２に軸方向の外力が加えられない限り突起２２ａが前後移動することはない。この状態で、歯車８Ｂ以外の歯車８Ａおよび歯車８Ｃ〜８Ｅは、中軸１７に対してフリーで回転していることになる。その結果、クラッチ５は、歯車７Ｂと歯車８Ｂの噛み合いによって得られる作動間隔で接続されて植付機構部Ａが作動する。
【００１６】
次に、この状態から株間を変更するために、図３において、切換レバー２５の基端を運転操作側から見て右側（図では上方）に回動操作すると、切換レバー２５の先端は左側（図では下方）に移動する。すると、切換レバー２５の先端が係合しているフランジ金具２３が左側（図では下方）に移動し、キー溝１９内のスライドキー２２を移動させる。スライドキー２２が移動されると、突起２２ａがリング２０の内径部に当接して板ばね２１を押圧しながら下方へ沈み、歯車８Ｂのキー溝１８を抜け出しながらリング２０を乗り越える。
【００１７】
次に、突起２２ａがリング２０を乗り越えて歯車８Ａの軸孔へ進入して、歯車８Ａのキー溝１８が回転して突起２２ａの位置に到達すると、突起２２ａがキー溝１８内に入り込み板ばね２１に押圧されて上昇し、歯車８Ａが中軸１７と連結される。その結果、駆動軸１の回転は、歯車７Ａと歯車８Ａの噛み合いによって従動軸９に伝達され、その噛み合いによって得られる作動間隔で植付機構部Ａが作動する。また、切換レバー２５の基端を反対側の左側へ順に回動操作すると、上述した動作を繰り返してスライドキー２２が右方向へ順次移動し、突起２２ａが歯車８Ｂ〜８Ｅのキー溝１８を順に移動して噛み合う歯車が移動していく。
【００１８】
図示例では、歯車７Ａ〜７Ｅと歯車８Ａ〜８Ｅの５組の組み合わせとしたことにより、クラッチ５の作動間隔を５段階に切り換えることができる。通常は、中間の歯車７Ｃと歯車８Ｃの噛み合いの場合を標準の株間とする。移植機が上り勾配でスリップ比が大きくなり株間が標準よりも狭くなる場合は、歯車７Ａ，７Ｂと歯車８Ａ，８Ｂの組み合わせ側に切り換えて株間が広くなるように調節する。反対に、移植機が下り勾配でスリップ比が小さくなり株間が標準よりも広くなる場合は、歯車７Ｄ，７Ｅと歯車８Ｄ，８Ｅの組み合わせ側に切り換えて株間が狭くなるように調節する。なお、図示例では、表示を省略してあるが、歯車７，８やフランジ金具２３および切換レバー２５の先端部分は、カバーにより覆われている。また、図示例では、歯車８Ａ〜８Ｅにそれぞれ４個のキー溝１８が形成されているが、４個以外の個数にすることも可能である。
【産業上の利用可能性】
【００１９】
本発明は、たばこの移植機以外にも他の野菜等の移植機にも利用可能である。また、車輪の回転と同期して間欠的に作業をする他の農業機械にも適用可能である。
【図面の簡単な説明】
【００２０】
【図１】本発明に係る移植機の植付機構部を上方から見た状態を示す断面図である。
【図２】図１の正面図である。
【図３】図１の要部を拡大した断面図である。
【図４】図３の正面図である。
【図５】図３の駆動軸部分の断面図である。
【図６】図３の従動軸部分の断面図である。
【図７】図６から板ばねを取り出して示した図である。
【図８】図６からスライドキーを取り出して示した図である。
【符号の説明】
【００２１】
１  駆動軸
２  スプロケット
３  チェン
４  植付機構軸
５  クラッチ
６  スプロケット
７，７Ａ〜７Ｅ  歯車
８，８Ａ〜８Ｅ  歯車
９  従動軸
１１  回転突起
１２  係合レバー
１３  作動円盤
１４  二分割コーン
１５  中軸
１６  沈みキー
１７  中軸
１８，１９  キー溝
２０  リング
２１  板ばね
２２  スライドキー
２２ａ  突起
２２ｂ  軸孔
２３  フランジ金具
２４  溝
２５  切換レバー
２６  支点
Ａ  植付機構部
【図１】
2005143374.tif 000003
【図２】
2005143374.tif 000004
【図３】
2005143374.tif 000005
【図４】
2005143374.tif 000006
【図５】
2005143374.tif 000007
【図６】
2005143374.tif 000008
【図７】
2005143374.tif 000009
【図８】
2005143374.tif 000010